(57)【要約】【課題】  床に対する特別な施工が不要で、任意の場所での使用が可能であり、さらに、伝統的な日本の掘り炬燵と同様の使用感が得られる掘り炬燵ユニットを提供する。【解決手段】  掘り炬燵ユニットは、方形の角部に位置するよう設けられた四本の脚部２と、四つの脚部２の上端部分で支えられた受けフレーム３と、受けフレーム３に支持された畳４と、畳４で形成された開口４０の上に配置された炬燵やぐら５とを備えている。各脚部２は、下端にキャスター１を備えている。畳４の開口４０の下方には、畳４上に人が座った際に足を下ろして入れるための下部ボックス７が設けられている。下部ボックス７は、受けフレーム３に保持されていて脚部２、受けフレーム３、畳４及び炬燵やぐら５と一体に移動可能である。不使用時には、畳４の開口４０は、蓋用畳４１で面一状態で塞がれる。【選択図】  図１
2005300029.tif 000002
【特許請求の範囲】
【請求項１】
下端にキャスターを備え、方形の角部に位置するよう設けられた四本の脚部と、四つの脚部の上端部分で支えられた受けフレームと、受けフレームに支持された畳と、畳で形成された開口の上に配置された炬燵やぐらとを備えており、
畳の開口の下方には、畳上に人が座った際に足を下ろして入れるための下部ボックスが設けられており、下部ボックスは、受けフレームに保持されていて脚部、受けフレーム、畳及び炬燵やぐらと一体に移動可能な状態で設けられていることを特徴とする掘り炬燵ユニット。
【請求項２】
前記畳の開口を面一状態で塞ぐ別の畳を備えていることを特徴とする請求項１記載の掘り炬燵ユニット。
【発明の詳細な説明】
【技術分野】
【０００１】
本願発明は、掘り炬燵に関する。
【背景技術】
【０００２】
掘り炬燵は、日本の伝統的な暖房器具の一つであるが、楽な姿勢で暖がとれるところから、最近では、新規住宅建築や改築の際に施工するケースも増えてきている。
【特許文献１】特開平２−６１２５６号公報
【特許文献２】実開平３−６７９０１号公報
【発明の開示】
【発明が解決しようとする課題】
【０００３】
このような掘り炬燵は、人が集まる公的な場所、例えば集会所、病院、老人ホーム等でも使用されることが好ましい。例えば、老人の集まりが集会所である場合、膝を折りたたまなくて良い掘り炬燵があれば楽である。
しかしながら、冬季以外の暖房の必要がない時には、固定式の掘り炬燵は場所を取るだけで無用のものである。施設の床に造り付けで設け、冬季以外は蓋で覆って通常の床として使用できるようにしても良いが、特別の施工が必要であり、コストが高くつく。また、掘り炬燵を配置して使用する場所が、施工した場所に限られてしまい、施設内の任意の場所で使用するという訳にはいかない。
【０００４】
これまで公開されている特許文献の中には、通常のテーブルを掘り炬燵と同様に使用するものがあるが、このような掘り炬燵は、伝統的な日本の掘り炬燵の構成とはかなり異なっており、使用に違和感があるのが否めない。
本願の発明は、かかる課題を解決するためになされたものであり、床に対する特別な施工が不要で、任意の場所での使用が可能であり、さらに、伝統的な日本の掘り炬燵と同様の使用感が得られる掘り炬燵ユニットを提供する技術的意義がある。
【課題を解決するための手段】
【０００５】
上記課題を解決するため、本願の請求項１記載の発明は、下端にキャスターを備え、方形の角部に位置するよう設けられた四本の脚部と、四つの脚部の上端部分で支えられた受けフレームと、受けフレームに支持された畳と、畳で形成された開口の上に配置された炬燵やぐらとを備えており、
畳の開口の下方には、畳上に人が座った際に足を下ろして入れるための下部ボックスが設けられており、下部ボックスは、受けフレームに保持されていて脚部、受けフレーム、畳及び炬燵やぐらと一体に移動可能な状態で設けられているという構成を有する。
また、上記課題を解決するため、請求項２記載の発明は、前記請求項１の構成において、前記畳の開口を面一状態で塞ぐ別の畳を備えているという構成を有する。
【発明の効果】
【０００６】
以下に説明する通り、本願の請求項１記載の発明によれば、脚部がキャスターを有し、脚部、受けフレーム、畳、炬燵やぐらが一体に移動する移動式であるので、床に対する特別な施工が不要で、任意の場所での使用が可能である。また、畳の上に座って足を下ろして使用するので、伝統的な日本の掘り炬燵と同様の使用感が得られる。
また、請求項２記載の発明によれば、上記効果に加え、長期間の不使用時には、別の畳で開口が面一状態で塞がられるので、畳よりなるフラットなスペースとして任意の使用が可能となる。
【発明を実施するための最良の形態】
【０００７】
以下、本願発明を実施するための最良の形態（以下、実施形態）について説明する。図１は、本願発明の掘り炬燵ユニットの斜視概略図、図２は図１に示す掘り炬燵ユニットの正面断面概略図である。図１及び図２に示す掘り炬燵ユニットは、下端にキャスター１を備え、方形の角部に位置するよう設けられた四本の脚部２と、四つの脚部２の上端部分で支えられた受けフレーム３と、受けフレーム３に支持された畳４と、畳４に設けられた開口４０の上に配置された炬燵やぐら５とを備えている。
【０００８】
本実施形態の掘り炬燵ユニットは、例えば四畳４半程度の占有スペースのものである。従って、四つの脚部２もこの程度の大きさの方形の四隅に位置したものとなっている。
受けフレーム３は、方形な枠状であり、四つの脚部２の上端をつなぐようにして固定されている。受けフレーム３の内側には、二種類の補強フレーム６１，６２が設けられている。その一つは、中央に設けられた方形の第一補強フレーム６１であり、第一補強フレート受けフレーム３とをつなぐ対角線上の第二補強フレーム６２である。
【０００９】
第一補強フレーム６１の下面には、四つの補助脚部６３が設けられている。補助脚部６３は、方形な第一補強フレーム６１の角の位置に設けられている。尚、各脚部２及び各補助脚部６３をそれぞれつなぐようにして不図示の補強用梁が設けられている。尚、キャスター１は、補助脚部６３の下端にも設けられている。
畳４は、受けフレーム３と第一補強フレーム６１との間に嵌め込まれるようにして設けられている。本実施形態では、通常の畳と同じサイズ（江戸間サイズ、団地間サイズを問わず）の畳４を複数使用している。畳４は、畳床と畳表からなる通常の構成である。
【００１０】
図１及び図２に示すように、受けフレーム３は断面Ｌ字状であり、下側部分が内側に折れ曲がっている。一方、第一補強フレーム６１は、下端部分が断面逆Ｔ字状となっている。畳４は、受けフレーム３と第一補強フレーム６１との間に挟み込まれた状態で嵌め込まれる。図１及び図２から解るように、第一補強フレーム６１がほぼ半畳の大きさであり、四つの畳４が嵌め込まれている。
【００１１】
図１及び図２に示すように、第一補強フレーム６１には、下部ボックス７が固定されている。下部ボックス７は、上面が開口となっているほぼ直方体状の箱状である。下部ボックス７は、周囲に熱が逃げないよう断熱材を備えたり、中空二重構造のような断熱構造とすることが好ましい。
上述した脚部２、補助脚部６３、受けフレーム３、補強フレーム６１，６２、不図示の補強用梁は、強化アルミやステンレス等の鋼製である。それぞれの接合は、溶接により行われることが強度の面で好ましい。但し、ネジ止めとして分解可能としても良い。
【００１２】
炬燵やぐら５は、やぐら脚部５１と、やぐら脚部５１の上端に固定された天板５２とから主に構成されている。やぐら脚部５１は、同様に四隅に四本設けられている。天板５２は、完全な板状の場合もあるし、格子状になっていてその上から別途こたつ板を載せる場合もある。尚、炬燵やぐら５は、単に畳４の上に載せられる場合もあるが、第一補強フレーム６１等に対して固定される場合もある。
【００１３】
上述した掘り炬燵ユニットにおいて、ヒータ８は、図２に実線で示すように天板５２の下面に取り付けられる場合と、破線で示すように下部ボックス７の底面に据え付けられる場合とがある。天板の下面に取り付けられる場合は、炬燵やぐら５及びヒータ８から成る構成は、通常市販されている炬燵と同様の構成となる。下部ボックス７の底面に据え付けられる場合、通常市販されているヒータ８を炬燵やぐら５から取り外し、下部ボックス７の底面に据え付けたような状態となる。尚、下部ボックス７の底面に、練炭のような炭によるヒータ８を設けて伝統的な掘り炬燵の構成としても良い。
【００１４】
また、上記実施形態の掘り炬燵ユニットは、畳４が形成する開口４０を面一状態で塞ぐ別の畳（以下、蓋用畳）４１を備えている。前述したように、開口４０は半畳の大きさなので、蓋用畳４１も半畳の大きさである。
図１に示すように、受けフレーム２は、下側に蓋用畳４１の収納部を備えている。収納部は、蓋用畳４１の幅に相当する距離隔てて延びる一対のガイドレール９から構成されている。蓋用畳４１は、ガイドレールの間に滑らせるようにして収納されている。図３は、蓋用畳４１で蓋をした状態を示す斜視概略図である。蓋用畳４１は、図２に示す第一補強フレーム６１の下端の内側に延びている部分に縁が載せられた状態で開口４０を塞ぐ。
【００１５】
上記掘り炬燵ユニットを使用する場合、必要な時に必要な場所に全体を移動させる。そして、炬燵やぐら５の上に炬燵布団５３を被せ、ヒータ８を動作させる。その上で、炬燵布団５３の下に下半身をくぐらせて下部ボックス７内に足を下ろしながら畳４の上に座る。これにより、暖がとれる。使用しない時は、全体を移動させ、じゃまにならない場所に置いておく。冬季以外の長期間使用しない場合、炬燵やぐら５を片づけ、蓋用蓋４１を取り出して開口４０を塞ぐ。
【００１６】
上記実施形態の炬燵ユニットによれば、脚部２がキャスター１を有し、脚部２、受けフレーム３、畳４、炬燵やぐら５等が一体に移動する移動式であるので、床に対する特別な施工が不要で、任意の場所での使用が可能である。また、畳４の上に座って足を下ろして使用するので、伝統的な日本の掘り炬燵と同様の使用感が得られる。また、長期間の不使用時には、蓋用畳４１が開口４０を面一状態で塞ぐので、畳４，４１よりなるフラットなスペースとして任意の使用が可能となる。
【００１７】
上記実施形態では、全体として四畳半の大きさであったが、それより小さい、二畳や三畳の大きさでもよく、六畳や八畳のようなより大きい大きさでも良い。尚、受けフレーム３と第一補強フレーム６１との間に嵌め込むため、畳４を切り欠いたり、通常とは異なる形状寸法の畳４を使用したりすることもある。場合によっては、下部ボックス７の位置に開口４０を設けるようにして一つの畳を形成する場合もあり、一つの畳のみで実施される場合もある。
尚、受けフレーム３の形状によっては、第一補強フレーム６１が無く、受けフレーム３のみで畳４を受ける場合もある。
【図面の簡単な説明】
【００１８】
【図１】本願発明の掘り炬燵ユニットの斜視概略図である。
【図２】図１に示す掘り炬燵ユニットの正面断面概略図である。
【図３】蓋用畳４１で蓋をした状態を示す斜視概略図である。
【符号の説明】
【００１９】
１  キャスター
２  脚部
３  受けフレーム
４  畳
４０  開口
４１  蓋用畳
５  炬燵やぐら
６１  第一補強フレーム
６２  第二補強フレーム
６３  補助脚部
６４  補強用梁
７  下部ボックス
８  ヒータ
【図１】
2005300029.tif 000003
【図２】
2005300029.tif 000004
【図３】
2005300029.tif 000005